(57)【要約】【課題】  柱梁接合部において上下のプレキャストコンクリート柱を簡単に接合できる方法を提供することである。【解決手段】  柱梁接合部において上下のプレキャストコンクリート柱を接合する方法であって、下階のプレキャストコンクリート柱天端面がスラブ上面より下側に位置してなる接合用凹部を、プレキャストコンクリート柱天端面の周囲をスラブコンクリートで囲んで形成した後、前記接合用凹部に上階のプレキャストコンクリート柱の柱脚部を挿入して接合することである。【選択図】図１
2007092302.tif 000002
【特許請求の範囲】
【請求項１】
柱梁接合部において上下のプレキャストコンクリート柱を接合する方法であって、下階のプレキャストコンクリート柱天端面がスラブ上面より下側に位置してなる接合用凹部を、プレキャストコンクリート柱天端面の周囲をスラブコンクリートで囲んで形成した後、前記接合用凹部に上階のプレキャストコンクリート柱の柱脚部を挿入して接合することを特徴とする柱梁接合部におけるプレキャストコンクリート柱の接合方法。
【請求項２】
下階のプレキャストコンクリート柱天端面には凹溝が形成され、該凹溝にプレキャストコンクリート梁の上端筋が挿入されることを特徴とする請求項１に記載の柱梁接合部におけるプレキャストコンクリート柱の接合方法。
【発明の詳細な説明】
【技術分野】
【０００１】
本願発明は柱梁接合部におけるプレキャストコンクリート柱の接合方法に関するものである。
【背景技術】
【０００２】
従来、柱梁接合部において上下のプレキャストコンクリート柱を接合する場合は、図６に示すように、下階のプレキャストコンクリート柱３４の天端に上階のプレキャストコンクリート柱３５を建て込んで、柱天端面３６から突出した柱主筋３７を上階のプレキャストコンクリート柱３５の柱脚部３８におけるスリーブ継手３９内に挿入し、該スリーブ継手３９内に注入口４１からグラウト材４２を注入して（空気抜き穴４０から空気を抜きつつ）、上下のプレキャストコンクリート柱３５、３４同士を接合していた。またその他のプレキャストコンクリート柱の接合方法としては、例えば特開平８−１３５０８７号公報の発明がある。
【特許文献１】特開平８−１３５０８７号公報
【発明の開示】
【発明が解決しようとする課題】
【０００３】
しかし、上記のプレキャストコンクリート柱の接合方法は、スラブ上面に設置した目地用シール枠４３で柱脚部３８の周囲を囲んでグラウト材４２を注入するためのグラウト注入空隙４４を設けていたので、非常な手間を要していた。またプレキャストコンクリート梁４５の上端筋４６を柱の貫通孔４７に挿入した後、該貫通孔４７にグラウト材４２を充填しなければならないため煩雑な工程を要していた。
【０００４】
本願発明は上記のような問題に鑑みてなされたものであり、その目的は、柱梁接合部において上下のプレキャストコンクリート柱を簡単に接合できる方法を提供することである。
【課題を解決するための手段】
【０００５】
以上の課題を解決するための手段は、柱梁接合部において上下のプレキャストコンクリート柱を接合する方法であって、下階のプレキャストコンクリート柱天端面がスラブ上面より下側に位置した接合用凹部を、プレキャストコンクリート柱天端面の周囲をスラブコンクリートで囲んで形成した後、前記接合用凹部に上階のプレキャストコンクリート柱の柱脚部を挿入して接合することを特徴とする。また下階のプレキャストコンクリート柱天端面には凹溝が形成され、該凹溝にプレキャストコンクリート梁の上端筋が挿入されることを含むものである。
【発明の効果】
【０００６】
下階のプレキャストコンクリート柱天端に形成された接合用凹部に、上階のプレキャストコンクリート柱の柱脚部を挿入して接合するため、プレキャストコンクリート柱の建て方精度が高まるとともに、上下のプレキャストコンクリート柱が簡単に接合できる。また上下のプレキャストコンクリート柱の接合部がスラブ内に埋設されるため、継ぎ目が見えない。またスリーブ継手内に注入されたグラウト材が接合用凹部にまで充填されるため、上下のプレキャストコンクリート柱同士および、これらとスラブとが密着接合される。また接合用凹部に充填されたグラウト材が、下階のプレキャストコンクリート柱天端面の凹溝にも万遍なく充填され、鉄筋とプレキャストコンクリート柱との密着が強固になる。
【発明を実施するための最良の形態】
【０００７】
以下、本願発明のプレキャストコンクリート柱の接合方法（以下接合方法という）の実施の形態について図面に基づいて説明する。この接合方法は柱梁接合部１において下階のプレキャストコンクリート柱（以下ＰＣ柱という）２と上階のＰＣ柱３とを接合するものである。この柱梁接合部１は梁受用顎４にプレキャストコンクリート梁（以下ＰＣ梁という）５、６の接合端部７、８が架設されて構成されている。
【０００８】
このＰＣ梁５、６は緊張用一次ケーブル（ＰＣ鋼線などの引張材）９で予めプレストレスが付与されており、断面縦方向（高さ方向）の中央部よりわずか下側に配線した２本（または１本）の緊張用二次ケーブル（ＰＣ鋼線などの引張材）１０でＰＣ柱２に圧着接合されている。
【０００９】
この緊張用二次ケーブル１０は、ＰＣ柱２を貫通してＰＣ梁５、６の長さ方向に沿って配線されており、繰り返しの地震エネルギーが作用した場合に、緊張用二次ケーブル１０がヒンジの働きをして接合端部７、８が回転変形するようになっている。
【００１０】
またＰＣ梁の上端筋１１、１２は高張力鋼またはＰＣ鋼線であり、ＰＣ柱天端の凹溝１３に挿入されて交差配筋され、一方のＰＣ梁５の上端筋１１が凹溝１３の下側に挿入され、これと直交した他方のＰＣ梁６の上端筋１２が前記上端筋１１に重なるように凹溝１３の上側に挿入されている。
【００１１】
また下階と上階のＰＣ柱２、３は、上端筋１１、１２を挟んだ状態でスラブ１４上面から２〜５ｃｍ下側で接合されている。これはＰＣ柱天端にスラブコンクリート１５で接合用凹部１６が形成され、この接合用凹部１６に上階のＰＣ柱３の柱脚部１７が挿入されている。
【００１２】
ＰＣ梁の下端筋である接合用ケーブル１８は、図２に示すように、芯線２１の外周に複数の側線２２が撚った状態で巻き付けられたＰＣ鋼撚線１８ａが複数本束ねられたものであり、一方の接合端部７からＰＣ柱２を挟んで対向載置された他方の接合端部８にかけて平行に２本配線されて、ＰＣ柱２内において交差している。
【００１３】
この接合用ケーブル１８は、一方の接合端部７の上面から梁受用顎４近傍のＰＣ柱２を貫通して、他方の接合端部８の上面にかけて湾曲状に配設されたシース管１９に挿入され、このシース管１９内にはグラウト２０が充填され、緊張力が全く付与されない状態、すなわち緊張されない状態で配線されている。またＰＣ鋼撚線１８ａの芯線２１と側線２２との外周には合成樹脂粉末塗料を溶融密着させた皮膜２３が施され、繰り返し引張回数が多い場合や塩害による錆の問題がある場合には、この進行を防止する。
【００１４】
この柱梁接合部１に繰り返しの地震エネルギーが作用した場合は、ＰＣ梁５、６の接合端部７、８が目地部２４を開いた状態で、緊張用二次ケーブル１０を中心に回転変形する。すなわち、ＰＣ梁５、６がＰＣ柱２に関節接合されている。
【００１５】
この回転変形に伴って接合用ケーブル１８が伸び縮みして摩擦ダンパーの働きをすることにより地震エネルギーを吸収する。これは接合用ケーブル１８が引張られると、ＰＣ鋼撚線１８ａにおける側線２２の絞りがきつくなって伸びるが、この引張りが緩むと側線２２の絞りも緩くなって接合用ケーブル１８が元の状態に戻る（縮む）。このように接合用ケーブル１８が伸びるときは、ＰＣ鋼撚線１８ａにおける芯線２１と側線２２との摩擦および、側線２２同士の摩擦が大きくなる一方、元の状態に戻るときは前記の摩擦が小さくなるため、この伸び縮み作用（擦れ合い作用）の繰り返しにより地震エネルギーが吸収される。これは接合用ケーブル１８が全く緊張されずに配線されたためであり、このような伸び縮み作用を発生させるために全く緊張しない配線にした。
【００１６】
このＰＣ鋼撚線１８ａのスパイラル状のクサビ形状が伸びに比例したグラウト２０との摩擦を生じるとともに、元の状態に戻るときも同様に縮みに比例した摩擦が生じるため、この伸び縮みによるグラウト２０との摩擦の繰り返しにより地震エネルギーが吸収される。
【００１７】
この接合用ケーブル１８の伸び縮みによるＰＣ鋼撚線１８ａにおける芯線２１と側線２２および側線２２同士が擦れ合うが、芯線２１と側線２２との外周には皮膜２３が施されているため、この擦れ合いによって皮膜２３が磨滅して、芯線２１および側線２２が損傷するフレッチング疲労の発生が防げる。
【００１８】
このように緊張用二次ケーブル１０のヒンジとしての働き、および接合用ケーブル１８の摩擦ダンパーとしての働きにより、大地震があったときでもＰＣ梁の接合端部７、８とＰＣ柱２とは損傷を受けず、かつ接合端部７、８が梁受用顎４から外れて落下することもない。
【００１９】
次に、この柱梁接合部１におけるＰＣ柱２、３の接合方法について説明する。まず、図３に示すように、基礎コンクリート上に下階のＰＣ柱２を適宜間隔ごとに建て込む。このＰＣ柱２には四つの梁受用顎４が形成され、これらの全てに接合端部７、８が設置されて、ＰＣ梁５、６が各ＰＣ柱２、３間に架設される。そして、これらのＰＣ梁５、６を、ＰＣ柱２を貫通して配線された緊張用二次ケーブル１０でＰＣ柱２に緊張定着する。次に、ＰＣ柱の梁受用顎４に設置された接合端部７、８に、ＰＣ柱２を貫通してシース管１９を湾曲状に配置するとともに、これに接合用ケーブル１８を挿入してグラウト２０を充填する。これにより各ＰＣ柱２にＰＣ梁５、６が接合され、繰り返しの地震エネルギーが作用すると、各接合端部７、８が緊張用二次ケーブル１０を中心に回転変形するととともに、接合用ケーブル１８の伸び縮みにより地震エネルギーを吸収する柱梁接合部が構築される。
【００２０】
次に、ＰＣ柱２を挟んで対向設置されたＰＣ梁５、６に上端筋１１、１２を配筋するが、ＰＣ柱天端面においては一方のＰＣ梁５の上端筋１１を凹溝１３に挿入した後、これと直交した他方のＰＣ梁６の上端筋１２を、前記上端筋１１に重なるように凹溝１３に挿入して交差状に配筋する。
【００２１】
次に、このＰＣ梁５、６間にプレキャストコンクリート床板を設置して下床２５を形成するとともに、下階のＰＣ柱天端の周囲に、これを囲むようにして凹部形成用型枠２６を組立形成する。そして、この下床２５上にトップコンクリート２７を打設し、これが硬化した後に凹部形成用型枠２６を脱型するとスラブ１４および、接合用凹部１６の底面になるＰＣ柱天端面２８がスラブ上面から２〜３ｃｍ下がった所に位置した接合用凹部１６が形成される。
【００２２】
次に、この接合用凹部１６に上階のＰＣ柱の柱脚部１７を挿入し、下階のＰＣ柱天端面２８から突出した柱主筋２９をスリーブ継手３０に挿入した後、該スリーブ継手３０の注入口３１からグラウト材３２を注入すると、これがスリーブ継手３０、接合用凹部１６および凹溝１３に充填され、接合用凹部１６から溢れ出ることにより、これらが万遍なく充填されたことを確認する。このようにして柱梁接合部１における上下階のＰＣ柱２、３の接合を行う。
【図面の簡単な説明】
【００２３】
【図１】柱梁接合部における上下階のＰＣ柱の接合構造の断面図である。
【図２】（１）は接合用ケーブルの断面図、（２）はＰＣ鋼撚線の正面図、（３）は（２）の断面図、（４）は伸びたＰＣ鋼撚線の正面図である。
【図３】（１）は梁受用顎にＰＣ梁の接合端部を設置した断面図、（２）は同平面図である。
【図４】（１）はトップコンクリートを打設してスラブを形成した断面図、（２）は同平面図である。
【図５】（１）は下階のＰＣ柱に上階のＰＣ柱を接合した断面図、（２）は下階と上階の接合部の断面図である。
【図６】従来の柱梁接合部におけるＰＣ柱の接合方法を示す断面図である。
【符号の説明】
【００２４】
１  柱梁接合部
２、３、３４、３５  ＰＣ柱
４  梁受用顎
５、６、４５  ＰＣ梁
７、８  接合端部
９  緊張用一次ケーブル
１０  緊張用二次ケーブル
１１、１２  上端筋
１３  凹溝
１４  スラブ
１５  スラブコンクリート
１６  接合用凹部
１７、３８  柱脚部
１８  接合用ケーブル
１８ａＰＣ鋼撚線
１９  シース管
２０  グラウト
２１  芯線
２２  側線
２３  皮膜
２４  目地部
２５  下床
２６  型枠
２７  トップコンクリート
２８、３６  天端面
２９、３７  柱主筋
３０、３９  スリーブ継手
３１、４１  注入口
３２、４２  グラウト材
４０  空気抜き穴
４３  目地用シール枠
４４  グラウト注入空隙
４６  上端筋
４７  貫通孔
【図１】
2007092302.tif 000003
【図２】
2007092302.tif 000004
【図３】
2007092302.tif 000005
【図４】
2007092302.tif 000006
【図５】
2007092302.tif 000007
【図６】
2007092302.tif 000008